【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】ビデオゲームシステムを使用する方法であって、
ボウリングセンタ内のボウリングレーンの準備領域に表示モニタを設置するステップと、
前記表示モニタにビデオゲームプロセッサを接続するステップと、
前記ビデオゲームプロセッサに対しての通信リンクを有する少なくとも１台のゲームコントローラをボウリングレーンの準備領域に設けるステップと、
前記表示モニタ上にビデオゲームを表示しながら前記ゲームコントローラを使用してボウリングレーンの準備領域においてビデオゲームを行うことを可能にするステップとを含む方法。
【請求項２】請求項１に記載の方法であって、前記表示モニタは、ボウリングのスコアが選択的に表示されるボウリング採点システム用の表示装置である方法。
【請求項３】請求項１に記載の方法であって、ボウリングレーンの準備領域にボウリング採点コンソールを設けるステップと、前記ビデオゲームプロセッサを前記ボウリング採点コンソール内に設けるステップとを更に含む方法。
【請求項４】請求項３に記載の方法であって、前記表示モニタを前記ボウリング採点コンソール内に取り付けるステップを更に含む方法。
【請求項５】インターネットアクセス装置を使用する方法であって、
ボウリングセンタ内のボウリングレーンの準備領域に表示モニタを設置するステップと、
前記表示モニタにインターネットアクセス装置を接続するステップと、
前記インターネットアクセス装置に対しての通信リンクを有するキーパッドをボウリングレーンの準備領域に提供するステップと、
アクセスしたインターネットウエブサイトを前記表示モニタ上に表示しながら前記キーパッドと前記インターネットアクセス装置を使用してボウリングレーンの準備領域においてインターネットアクセスを可能にするステップとを含む方法。
【請求項６】請求項５に記載の方法であって、準備領域においてテレビ放送を選択して視聴するために表示モニタに結合されたテレビ受像機を設けるステップとを更に含む方法。
【請求項７】請求項５に記載の方法であって、前記表示モニタは、ボウリングのスコアが選択的に表示されるボウリング採点システム用の表示装置である方法。
【請求項８】請求項５に記載の方法であって、ボウリングレーンの準備領域にボウリング採点コンソールを設けるステップと、前記ビデオゲームプロセッサを前記ボウリング採点コンソール内に設けるステップとを更に含む方法。
【請求項９】請求項８に記載の方法であって、前記表示モニタを前記ボウリング採点コンソール内に設けるステップとを更に含む方法。
【請求項１０】一対のボウリングレーンのためのボウリング採点システムであって、
一対のボウリングレーンの少なくとも一方のレーンでのボウリングのスコアを追跡すると共に、このボウリングのスコアを表示するための表示信号を発生するボウリング採点プロセッサと、
ハウジングを有する第１の採点コンソールと、
前記第１の採点コンソールの前記ハウジング上に設けられると共に前記ボウリング採点プロセッサに結合された、ユーザ入力を受け入れるための第１のユーザ入力手段と、
インターネットに接続するように適合され、選択されたインターネットのウエブサイトに対応する表示信号を発生する第１のインターネットアクセス装置と、
前記ボウリング採点プロセッサと前記インターネットアクセス装置とに結合され、選択的に表示信号を受け取って少なくともボウリングのスコアとインターネットのウエブサイトを表示する表示モニタとを含むシステム。
【請求項１１】請求項１０に記載のボウリング採点システムであって、前記表示モニタは、前記第１の採点コンソールの前記ハウジング内に設けられているシステム。
【請求項１２】請求項１０に記載のボウリング採点システムであって、前記表示モニタは、一対のボウリングレーンの準備領域の上に取り付けられているシステム。
【請求項１３】請求項１０に記載のボウリング採点システムであって、前記第１のインターネットアクセス装置は、前記第１の採点コンソール内に設けられているシステム。
【請求項１４】請求項１０に記載のボウリング採点システムであって、前記インターネットアクセス装置は、テレビ信号源に接続するために適合されたウエブテレビユニット内に設けられ、前記表示モニタは、選択されたテレビ放送信号を表示するために前記ウエブテレビユニットに結合されているシステム。
【請求項１５】請求項１４に記載のボウリング採点システムであって、前記ウエブテレビユニットは、前記第１の採点コンソールの前記ハウジング内に取り付けられているシステム。
【請求項１６】請求項１０に記載のボウリング採点システムであって、前記ボウリング採点プロセッサは、前記第１の採点コンソールの前記ハウジング内に取り付けられているシステム。
【請求項１７】請求項１０に記載のボウリング採点システムであって、
ハウジングを有する第２の採点コンソールと、
この第２の採点コンソール上に取り付けられた第２のユーザ入力手段とを更に含むシステム。
【請求項１８】請求項１７に記載のボウリング採点システムであって、第２の採点コンソールのハウジング内に設けられた第２のインターネットアクセス装置を更に含むシステム。
【請求項１９】請求項１０に記載のボウリング採点システムであって、前記ボウリング採点プロセッサは、レーン対の両方のレーンのスコアを追跡して表示するシステム。
【請求項２０】請求項１０に記載のボウリング採点システムであって、前記表示モニタ上に表示する表示信号を選択するために、前記ボウリング採点プロセッサ及び前記第１のインターネットアクセス装置の出力と前記表示モニタの入力との間に結合されたスイッチを更に含むシステム。
【請求項２１】一対のボウリングレーンのためのボウリング採点システムであって、
一対のボウリングレーンの少なくとも一方のレーンでのボウリングのスコアを追跡すると共に、このボウリングのスコアを表示するための表示信号を発生するボウリング採点プロセッサと、
ハウジングを有する第１の採点コンソールと、
前記第１の採点コンソールの前記ハウジング上に設けられると共に前記ボウリングゲーム採点プロセッサに結合された、ユーザ入力を受け入れるための第１のユーザ入力手段と、
前記ハウジングの外部に位置する少なくとも１台のゲームコントローラから受け取る制御信号及びビデオゲームプログラムに応答して表示信号を発生する第１のビデオゲームプロセッサと、
前記ボウリングゲーム採点プロセッサと前記ビデオゲームプロセッサとに結合され、選択的に表示信号を受け取って少なくともビデオゲームの表示とボウリングのスコアを表示する表示モニタとを含むシステム。
【請求項２２】請求項２１に記載のボウリング採点システムであって、前記表示モニタは、前記第１の採点コンソールの前記ハウジング内に設けられているシステム。
【請求項２３】請求項２１に記載のボウリング採点システムであって、前記表示モニタは、一対のボウリングレーンの準備領域の上に取り付けられているシステム。
【請求項２４】請求項２１に記載のボウリング採点システムであって、前記第１のビデオゲームプロセッサは、前記第１の採点コンソール内に設けられているシステム。
【請求項２５】請求項２１に記載のボウリング採点システムであって、前記ボウリング採点プロセッサは、前記第１の採点コンソールの前記ハウジング内に取り付けられているシステム。
【請求項２６】請求項２１に記載のボウリング採点システムであって、
ハウジングを有する第２の採点コンソールと、
この第２の採点コンソール上に取り付けられた第２のユーザ入力手段とを更に含むシステム。
【請求項２７】請求項２６に記載のボウリング採点システムであって、第２の採点コンソールのハウジング内に設けられた第２のビデオゲームプロセッサを更に含むシステム。
【請求項２８】請求項２１に記載のボウリング採点システムであって、前記ボウリング採点プロセッサは、レーン対の両方のレーンのスコアを追跡して表示するシステム。
【請求項２９】請求項２１に記載のボウリング採点システムであって、前記表示モニタ上に表示する表示信号を選択するために、前記ボウリング採点プロセッサ及び前記第１のビデオゲームプロセッサの出力と前記表示モニタの入力との間に結合されたスイッチを更に含むシステム。
【請求項３０】ボウリング採点コンソールであって、
ハウジングと、
このハウジング内に配置され、一以上の関連するボウリングレーンでのボウリングのスコアを追跡すると共に、このボウリングのスコアを表示するための表示信号を発生するボウリング採点プロセッサと、
前記ハウジング上に設けられると共に前記ボウリングゲーム採点プロセッサに結合された、ユーザ入力を受け入れるためのユーザ入力手段と、
前記ハウジング内に設置され、少なくとも１台のゲームコントローラから受け取る制御信号及びビデオゲームプログラムに応答して表示信号を発生するビデオゲームプロセッサと、
前記ハウジングに取り付けられると共に、前記ボウリングゲーム採点プロセッサと前記ビデオゲームプロセッサとに結合され、選択的に表示信号を受け取って少なくともビデオゲームの表示とボウリングのスコアを表示する表示モニタとを含むコンソール。
【請求項３１】請求項３０に記載のボウリング採点コンソールであって、前記ビデオゲームプロセッサは、少なくとも一つのビデオゲームプログラムを記憶するビデオゲームカートリッジを受け入れるポートを含むコンソール。
【請求項３２】請求項３１に記載のボウリング採点コンソールであって、前記ハウジングは開口を有し、この開口を介して前記ポートに接近できるようにしたコンソール。
【請求項３３】請求項３０に記載のボウリング採点コンソールであって、前記ハウジングは、前記ビデオゲームプロセッサに結合され、少なくとも一台の外部ゲームコントローラからの制御信号を受け入れる少なくとも一つの入力ポートを含むコンソール。
【請求項３４】請求項３３に記載のボウリング採点コンソールであって、前記入力ポートは、少なくとも一台の外部ゲームコントローラからの赤外線信号を受信するための赤外線受信機であり、赤外線信号は、前記ビデオゲームプロセッサが応答する制御信号を含むコンソール。
【請求項３５】請求項３３に記載のボウリング採点コンソールであって、前記入力ポートは、少なくとも一台の外部ゲームコントローラから延在する結合ワイヤに電気的に接続するための雌ジャックであるコンソール。
【請求項３６】請求項３０に記載のボウリング採点コンソールであって、前記ハウジングは、前記ビデオゲームプロセッサに接近するために取り外すことが可能なアクセスパネルを含むコンソール。
【請求項３７】請求項３０に記載のボウリング採点コンソールであって、クレジット／デビットカード情報を受け取るために前記ハウジングに設けられた手段を更に含むコンソール。
【請求項３８】請求項３７に記載のボウリング採点コンソールであって、前記クレジット／デビットカード情報を受け取るための手段は、クレジット／デビットカード読取機を含むコンソール。
【請求項３９】請求項３０に記載のボウリング採点コンソールであって、前記ハウジング内に配置され、インターネット及びテレビ信号源に接続されるウエブテレビユニットを更に含み、このウエブテレビユニットは、選択されたテレビ信号又は選択されたインターネットウエブサイトに対応する表示信号を発生し、前記表示モニタは前記ウエブテレビユニットに更に結合され、選択的に表示信号を受信して、少なくともボウリングのスコア、ビデオゲームの表示、テレビ放送、及びインターネットウエブサイトを表示するコンソール。
【請求項４０】請求項３０に記載のボウリング採点コンソールであって、前記少なくとも一つのゲームコントローラは前記ハウジングの外部に位置しているコンソール。
【請求項４１】ボウリング採点コンソールであって、
ハウジングと、
このハウジング内に配置され、一以上の関連するボウリングレーンでのボウリングのスコアを追跡すると共に、このボウリングのスコアを表示するための表示信号を発生するボウリングゲーム採点プロセッサと、
前記ハウジング上に設けられると共に前記ボウリングゲーム採点プロセッサに結合された、ユーザ入力を受け入れるためのユーザ入力手段と、
前記ハウジング内に設置され、選択されたインターネットウエブサイトに対応する表示信号を発生するためにインターネットに接続されるインターネットアクセス装置と、
前記ハウジングに取り付けられると共に、前記ボウリングゲーム採点プロセッサと前記ウエブテレビユニットとに結合され、選択的に表示信号を受け取って少なくともボウリングのスコアとインターネットのウエブサイトを表示する表示モニタとを含むコンソール。
【請求項４２】請求項４１に記載のボウリング採点コンソールであって、前記インターネットアクセス装置は、外部キーパッドから制御信号を受け取る入力ポートを含み、前記インターネットアクセス装置は、外部キーパッドからの制御信号に応答して、前記表示モニタ上に表示するためにインターネットウエブサイトを選択するコンソール。
【請求項４３】ボウリング採点システムであって、
各ボウリングレーン毎に設けられた少なくとも一台の表示モニタであって、この表示モニタ上での表示のために映像信号を受信する入力ポートを有する表示モニタと、
各ボウリングレーン又は各レーン対毎に設けられた少なくとも一台のボウリング採点コンソールであって、内部に取り付けられ外部から接近可能なビデオ入力ポートを備えたハウジングを含むコンソールと、
前記表示モニタに結合され、少なくとも一つのレーンでのボウリングのスコアを追跡すると共に、表示モニタ上にボウリングのスコアを表示するための表示信号を発生するボウリング採点プロセッサとを含み、
前記ビデオ入力ポートは、前記ビデオ入力ポートを前記表示モニタの前記入力ポートに選択的に結合するスイッチに結合されており、これにより外部のビデオ信号源を前記表示モニタに結合できるようにしたシステム。
【請求項４４】キオスク形コンソールであって、
ハウジングと、
このハウジング内に設けられた表示モニタと、
前記ハウジング内に設けられた少なくとも一つのスピーカと、
前記ハウジング内に設けられると共に、前記表示モニタと前記スピーカに結合されたインターネットアクセス装置であって、選択されたインターネットウエブサイトに対応する表示及び音声信号を発生するためにインターネットに接続されるインターネットアクセス装置と、
前記ハウジング内に設けられると共に、前記表示モニタと前記スピーカに結合されたテレビ受像機であって、選択されたテレビ放送信号に対応する表示及び音声信号を発生するためにテレビ信号源に接続されるテレビ受像機と、
前記ハウジング内に設けられると共に、前記表示モニタと前記スピーカに結合されたビデオゲームプロセッサであって、少なくとも１台のゲームコントローラから受け取る制御信号及びビデオゲームプログラムに応答して表示及び音声信号を発生するビデオゲームプロセッサとを含み、
前記表示モニタは選択的に表示信号を受信して、少なくともビデオゲームの表示、テレビ放送、及びインターネットウエブサイトを表示し、前記スピーカは、前記ビデオゲームプロセッサ、前記インターネットアクセス装置、及びテレビ受像機から受信される音声信号を再生するコンソール。
【請求項４５】ボウリングレーンの準備領域で情報へのアクセスを提供する方法であって、
（ａ）ボウリングセンタ内のボウリングレーンの準備領域に表示モニタを設けるステップと、
（ｂ）ボウリングスコアを追跡する装置を前記表示モニタへ接続するステップと、
（ｃ）インターネットアクセスを許容する装置を前記表示モニタへ接続するステップと、
（ｄ）ビデオゲーム信号を発生する装置を前記表示モニタへ接続するステップと、
（ｅ）前記ビデオゲーム信号を発生する装置に対しての通信リンクを有する少なくとも１台のゲームコントローラを設けるステップと、
（ｆ）ボウリングスコアデータ、ビデオゲームデータ及びインターネットデータを選択的に前記表示モニタ上に表示することをユーザに許容するスイッチを設けるステップとを含む方法。
【請求項４６】請求項４５に記載の方法であって、前記（ｂ）、（ｃ）及び（ｄ）のステップが、信号装置を前記表示モニタへ接続するステップをまとめて含む方法。
【請求項４７】請求項４５に記載の方法であって、前記ボウリングスコアを追跡する装置がプロセッサを含む方法。
【請求項４８】請求項４５に記載の方法であって、前記インターネットアクセスを許容する装置がプロセッサを含む方法。
【請求項４９】請求項４５に記載の方法であって、前記ビデオゲーム信号を発生する装置がプロセッサを含む方法。
【請求項５０】請求項４５に記載の方法であって、前記表示モニタがオーバーヘッドディスプレイを含む方法。
【請求項５１】請求項４５に記載の方法であって、ボウリングレーンの準備領域にボウリング採点コンソールを設け、且つ前記ボウリングスコアを追跡する装置、前記インターネットアクセスを許容する装置及び前記ビデオゲーム信号を発生する装置を前記ボウリング採点コンソール内に設けるステップを更に含む方法。
【請求項５２】請求項５１に記載の方法であって、前記ボウリング採点コンソール内に前記表示モニタを取り付けるステップを更に含む方法。
【請求項５３】インターネットにアクセスする方法であって、
（ａ）ボウリングセンタ内のボウリングレーンの準備領域で表示モニタをプロセッサに接続するステップと、このプロセッサは、インターネットデータ及びボウリングスコアデータを処理するよう構成され、
（ｂ）前記プロセッサに対しての通信リンクを有するキーパッドを設けるステップと、
（ｃ）前記ボウリングレーンの準備領域で、前記キーパッド及び前記プロセッサを利用してボウリングスコア及びインターネットへのアクセスを可能にするステップとを含む方法。
【請求項５４】請求項５３に記載の方法であって、前記準備領域で、テレビ放送を選択して視聴するために前記表示モニタにテレビ受像機を結合するステップを更に含む方法。
【請求項５５】請求項５３に記載の方法であって、前記表示モニタはオーバーヘッドディスプレイである方法。
【請求項５６】請求項５３に記載の方法であって、前記プロセッサによりビデオゲームデータを処理するステップを更に含む方法。
【請求項５７】請求項５３に記載の方法であって、前記ボウリングレーンの準備領域にボウリング採点コンソールを設けるステップを更に含む方法。
【請求項５８】請求項５７に記載の方法であって、前記ボウリング採点コンソール内に前記表示モニタを取り付けるステップを更に含む方法。
【請求項５９】ボウリング採点システムであって、
少なくとも１つのボウリングレーンのボウリングスコアを追跡し、ボウリングスコアに対応する表示信号を発生し、且つ少なくとも１つのウエブサイトと通信するよう構成されたプロセッサと、
前記プロセッサに結合された第１のユーザ入力装置と、
ボウリングスコアとインターネットウエブサイトを選択的に表示するために、前記プロセッサに結合された表示モニタとを含むシステム。
【請求項６０】請求項５９に記載のシステムであって、ハウジングを更に含み、前記表示モニタはこのハウジング内に設けられるシステム。
【請求項６１】請求項５９に記載のシステムであって、前記表示モニタは前記ボウリングレーンの準備領域の上に取り付けられるシステム。
【請求項６２】請求項５９に記載のシステムであって、前記プロセッサはテレビ信号を受け取るよう構成され、前記表示モニタは選択されたテレビ放送信号を表示するよう適合されるシステム。
【請求項６３】請求項５９に記載のシステムであって、ハウジングを更に含み、前記プロセッサはこのハウジング内に取り付けられるシステム。
【請求項６４】請求項５９に記載のシステムであって、ハウジング上に取り付けられた第２のユーザ入力装置を有する第２のハウジングを更に含むシステム。
【請求項６５】請求項５９に記載のシステムであって、少なくとも１つのボウリングレーンのボウリングスコアを追跡し、ボウリングスコアに対応する表示信号を発生し、且つインターネットウエブサイトと通信するように構成された第２のプロセッサを更に含むシステム。
【請求項６６】請求項５９に記載のシステムであって、前記プロセッサは１つ以上のレーンのためにスコアを追跡し、表示するよう構成されるシステム。
【請求項６７】請求項５９に記載のシステムであって、前記プロセッサは、前記表示モニタ上に表示すべきインターネットウエブサイト又はボウリングスコアに対応するデータの選択を可能にするよう更に構成されるシステム。
【請求項６８】請求項５９に記載のシステムであって、前記プロセッサは、ビデオゲームプログラム及び少なくとも１つのゲームコントローラから受け取る制御信号に応答して表示信号を発生するよう更に構成されるシステム。
【請求項６９】請求項６８に記載のシステムであって、前記プロセッサは、前記表示モニタ上に表示すべきインターネットウエブサイト、ボウリングスコア又はビデオゲームに対応するデータの選択を可能にするよう更に構成されるシステム。
【請求項７０】請求項５９に記載のシステムであって、前記プロセッサは、少なくとも１つのビデオゲームプログラムを記憶するビデオゲームカートリッジを受け入れるポートに結合されるシステム。
【請求項７１】請求項７０に記載のシステムであって、開口を有するハウジングを更に含み、その開口を介して前記ポートにアクセス可能なシステム。
【請求項７２】請求項５９に記載のシステムであって、前記プロセッサに結合され、少なくとも１台の外部ゲームコントローラからの制御信号を受け入れる少なくとも１つの入力ポートを有するハウジングを更に含むシステム。
【請求項７３】請求項７２に記載のシステムであって、前記入力ポートは少なくとも１台の外部ゲームコントローラからの赤外線信号を受信するための赤外線受信機であり、その赤外線信号は前記プロセッサが応答する制御信号を含むシステム。
【請求項７４】請求項７２に記載のシステムであって、前記入力ポートは、少なくとも１台の外部ゲームコントローラから延在する結合ワイヤに電気的に接続するための雌ジャックであるシステム。
【請求項７５】請求項５９に記載のシステムであって、前記プロセッサに接近するために取り外すことが可能なアクセスパネルを有するハウジングを更に含むシステム。
【請求項７６】請求項５９に記載のシステムであって、クレジット／デビットカード情報を受け取るための手段を更に含むシステム。
【請求項７７】請求項７６に記載のシステムであって、前記クレジット／デビットカード情報を受け取るための手段は、クレジット／デビットカード読取機を含むシステム。
【請求項７８】請求項５９に記載のシステムであって、前記プロセッサに結合されたテレビ受像機を更に含むシステム。
【請求項７９】請求項６８に記載のシステムであって、前記少なくとも１台のゲームコントローラは、前記ハウジングの外部に位置するシステム。
【請求項８０】ボウリング採点システムであって、
少なくとも１つのボウリングレーンのボウリングスコアを追跡し、ボウリングスコアに対応する表示信号を発生し、インターネットウエブサイトと通信し、且つ遅延したプレーヤのボウリング情報を受け取るよう構成されたプロセッサと、
前記プロセッサに結合された第１のユーザ入力装置と、
前記プロセッサに結合された表示モニタとを含み、この表示モニタは、表示信号を受け取り、遅延したプレーヤのボウリング情報及びリアルタイムのボウリングスコアの少なくとも１つを表示するよう構成されるシステム。
【請求項８１】請求項８０に記載のシステムであって、前記表示モニタは第１の採点コンソール内に設けられるシステム。
【請求項８２】請求項８０に記載のシステムであって、前記表示モニタは、少なくとも１つのボウリングレーンの準備領域の上に取り付けられるシステム。
【請求項８３】請求項８０に記載のシステムであって、前記プロセッサはビデオゲームデータを処理するよう更に構成され、前記表示モニタはビデオゲームデータを表示するよう構成されるシステム。
【請求項８４】請求項８０に記載のシステムであって、前記プロセッサは、第１の採点コンソールのハウジング内に取り付けられるシステム。
【請求項８５】請求項８０に記載のシステムであって、
ハウジングを有する第２の採点コンソールと、
前記第２の採点コンソール上に取り付けられた第２のユーザ入力装置とを更に含むシステム。
【請求項８６】請求項８０に記載のシステムであって、少なくとも１つのボウリングレーンのボウリングスコアを追跡し、ボウリングスコアに対応する表示信号を発生し、インターネットウエブサイトと通信し、且つ遅延したプレーヤのボウリング情報を受け取るよう構成された第２のプロセッサを更に含むシステム。
【請求項８７】請求項８０に記載のシステムであって、前記プロセッサは、一対のレーンのボウリングスコアを追跡し、表示するシステム。
【請求項８８】請求項８０に記載のシステムであって、前記プロセッサは、前記表示モニタに表示されるべきインターネットウエブサイト又はボウリングスコアに対応するデータを選択するよう更に構成されるシステム。
【請求項８９】請求項８０に記載のシステムであって、クレジット／デビットカード情報を受け取る手段を更に含むシステム。
【請求項９０】請求項８９に記載のシステムであって、前記クレジット／デビットカード情報を受け取る手段は、クレジット／デビットカード読取機を含むシステム。
【請求項９１】ボウリング採点コンソールであって、
ハウジングと、
前記ハウジング内に配置され、１つ以上のボウリングレーンのボウリングスコアを追跡し、ボウリングスコアの表示のための採点表示信号を発生し、インターネットウエブサイトと通信し、遠く離れた場所で行われるボウリングプレーのビデオ伝送を受け取り、且つそのボウリングプレーに対応するビデオ表示信号を発生するよう構成されたプロセッサと、
前記ハウジング上に設けられ、前記プロセッサに結合されたユーザ入力装置と、
前記ハウジングに取り付けられ、前記スコアとビデオ表示信号を選択的に受け取り、且つ少なくともボウリングスコアとボウリングプレーのビデオを表示するために前記プロセッサに結合された表示モニタとを含む採点コンソール。
【請求項９２】請求項９１に記載の採点コンソールであって、ウエブカメラを更に含むシステム。
【請求項９３】請求項９１に記載の採点コンソールであって、前記プロセッサはキーパッドからの制御信号を受け取るよう適合された入力ポートに結合され、且つ前記プロセッサは前記モニタ上に表示するためにインターネットウエブサイトを選択するキーパッドからの前記制御信号に応答するよう構成される採点コンソール。
【請求項９４】請求項９１に記載のボウリング採点システムであって、
各ボウリングレーンのための少なくとも１つの表示モニタと、この表示モニタは、選択されたビデオゲームプロセッサとの外部アクセスを提供し、表示のために、ビデオ信号を受け取るための入力ポートを有し、
各ボウリング場又はレーン対のために設けられた少なくとも１つのボウリング採点コンソールと、このボウリング採点コンソールは、外部アクセスが可能なビデオ入力ポートを内部に有するハウジングを含み、このビデオ入力ポートは、前記表示モニタの入力ポートに選択的に結合させるスイッチに結合され、外部のビデオ信号源を前記表示モニタに結合可能にし、
前記表示モニタに結合され、少なくとも１つのボウリング場でのボウリングスコアを追跡し、且つ表示モニタ上にボウリングスコアを表示する表示信号を発生するためのボウリング採点プロセッサとを含むシステム。
【請求項９５】キオスク形コンソールであって、
ハウジングと、
前記ハウジング内に設けられた表示モニタと、
前記ハウジング内に設けられた少なくとも１つのスピーカと、
インターネットウエブサイトにアクセスし、選択されたテレビ放送信号を受け取り、且つビデオゲームデータを処理するよう構成されたプロセッサとを含み、
前記表示モニタは、表示信号を選択的に受け取り、少なくともビデオゲームデータ、テレビ放送及びインターネットウエブサイトを表示し、前記スピーカは、ビデオゲームデータ、テレビ放送及びインターネットウエブサイトに対応する音声信号を再生するコンソール。